(57)【要約】【課題】  本発明は、使用者が現在再生中の動映像データにおいては、使用者により指定された部分のみを伝送し得るようにすることで、使用者の便宜性を増大させて、移動通信端末機の貯蔵空間を節約し得る移動通信端末機の動映像伝送装置及びその方法を提供することを目的とする。【解決手段】  本発明に係る移動通信端末機の動映像伝送装置においては、動映像データが再生される途中に該動映像データの一部動映像データを貯蔵するための信号を出力するイベント処理部と、前記動映像データを再生する途中に前記出力された信号に基づいて前記一部動映像データを貯蔵する動映像再生部と、前記貯蔵された一部動映像データをメッセージに貼付した後、前記メッセージを受信移動通信端末機に伝送するメッセージ伝送部と、前記動映像データと前記一部動映像データを貯蔵するデータ貯蔵部と、を包含して構成されることを特徴とする。【選択図】図１Ａ
2005244942.tif 000002
【特許請求の範囲】
【請求項１】
動映像データが再生される途中に該動映像データの一部動映像データを貯蔵するための信号を出力するイベント処理部と、
前記動映像データを再生する途中に前記出力された信号に基づいて前記一部動映像データを貯蔵する動映像再生部と、
前記貯蔵された一部動映像データをメッセージに貼付した後、前記メッセージを受信移動通信端末機に伝送するメッセージ伝送部と、
前記動映像データと前記一部動映像データを貯蔵するデータ貯蔵部と、を包含して構成されることを特徴とする移動通信端末機の動映像伝送装置。
【請求項２】
前記一部動映像データは、
使用者により指定されることを特徴とする請求項１記載の移動通信端末機の動映像伝送装置。
【請求項３】
前記動映像再生部は、
前記一部動映像データを貯蔵することを完了した時、前記動映像データの再生を一時停止し、該一時停止された位置の情報を前記データ貯蔵部に貯蔵することを特徴とする請求項１記載の移動通信端末機の動映像伝送装置。
【請求項４】
前記動映像再生部は、
前記メッセージの伝送を完了した後、前記貯蔵された一部動映像データを削除し、該貯蔵された一時停止された位置の情報に基づいて該一時停止された位置から前記動映像データを継続して再生することを特徴とする請求項３記載の移動通信端末機の動映像伝送装置。
【請求項５】
動映像データが再生される途中に、一部動映像データを貯蔵する段階と、
該貯蔵された動映像データをメッセージに貼付した後、前記メッセージを受信移動通信端末機に伝送する段階と、を順次行うことを特徴とする移動通信端末機の動映像伝送方法。
【請求項６】
前記一部動映像データを貯蔵する段階は、
該一部動映像データの貯蔵開始位置が指定される時、該指定された開始位置から動映像データを貯蔵する段階と、
前記一部動映像データの貯蔵終了位置が指定される時、該指定された終了位置で動映像データの貯蔵を完了する段階と、を順次行うことを特徴とする請求項５記載の移動通信端末機の動映像伝送方法。
【請求項７】
前記一部動映像データの貯蔵が完了された時、前記動映像データの再生を一時停止し、該一時停止された位置の情報を貯蔵する段階を更に行うことを特徴とする請求項５記載の移動通信端末機の動映像伝送方法。
【請求項８】
前記貯蔵された一時停止された位置の情報に基づいて、前記動映像データを前記一時停止された位置から継続して再生する段階を行うことを特徴とする請求項７記載の移動通信端末機の動映像伝送方法。
【請求項９】
前記メッセージの伝送が完了された時、前記貯蔵された一部動映像データを削除する段階を更に行うことを特徴とする請求項５記載の移動通信端末機の動映像伝送方法。
【発明の詳細な説明】
【技術分野】
【０００１】
本発明は、移動通信端末機に係るもので、詳しくは、移動通信端末機の動映像伝送装置及びその方法に関するものである。
【背景技術】
【０００２】
現在の移動通信端末機は、高集積メモリが開発され、大容量のデータを高速に伝送し得るようになることで、テキストメッセージ、停止画像又はメロディを貯蔵、伝送し得るだけではなく、動映像の録画、貯蔵、再生、編集及び伝送まで可能になった。
【０００３】
また、使用者達は、移動通信端末機に動映像を録画するか、又は移動通信端末機に貯蔵した動映像を特定人の移動通信端末機に伝送する場合が多くなった。
【０００４】
従来の移動通信端末機においては、該移動通信端末機に貯蔵された動映像データ(ここで、動映像データ(video  data)は、映像信号(video  signal)に音声信号(audio  signal)が同期(synchronize)されているデータである)を特定の移動通信端末機に伝送する場合は、動映像データを再生する途中に再生中の動映像データを伝送することが不可能であった。この場合には、使用者は現在再生中の動映像データの再生を終了した後、メッセージを作成し、伝送する動映像ファイルを前記作成されたメッセージに貼付し、前記動映像ファイルが添付されたメッセージを特定人の移動通信端末機に伝送した。即ち、従来の移動通信端末機の動映像伝送装置及びその方法においては、動映像データの再生と動映像ファイルが添付されたメッセージの伝送とを別途の過程に遂行した。
【０００５】
従来の移動通信端末機の動映像伝送装置においては、図３(Ａ)及び図３(Ｂ)に示したように、キー入力部１１０と、イベント処理部１２０と、動映像再生部１３０と、メッセージ伝送部１４０と、データ貯蔵部１５０と、出力処理部１６０及び呼処理部１７０と、を包含して構成されていた。
【０００６】
以下、このように構成された従来の移動通信端末機の動映像伝送装置の各構成要素の機能に対し、説明する。
【０００７】
前記キー入力部１１０は、使用者が任意のキーを押した時、該キーが押されたことを認知して該押されたキー(例えば、動映像データ再生開始キー、動映像データ再生中止キー、メッセージ伝送開始キー)が何かを判断し、該判断された結果を前記イベント処理部１２０に伝達する。
【０００８】
次いで、該イベント処理部１２０は、前記キー入力部１１０で判断された結果によって、前記押されたキーに対応されるイベント(例えば、動映像データ再生開始、動映像データ再生中止、メッセージ伝送開始)を前記動映像再生部１３０及びメッセージ伝送部１４０に知らせる。
【０００９】
次いで、前記動映像再生部１３０は、使用者により選択された動映像データをデータ貯蔵部１５０から読み出した後、該読み出した動映像データを再生する。
【００１０】
次いで、前記メッセージ伝送部１４０はメッセージを作成し、該作成されたメッセージに選択された動映像ファイルを貼付し、データ伝送プロトコルによって、前記動映像ファイルが添付されたメッセージの伝送を試みる。
【００１１】
また、前記データ貯蔵部１５０には、動映像ファイル及び関連情報が貯蔵される。
【００１２】
また、前記出力処理部１６０は、視聴覚的に動映像データの再生情報及び移動通信端末機情報を使用者に知らせる。
【００１３】
また、前記呼処理部１７０は、前記メッセージ伝送部１４０の指示によって前記メッセージを受信移動通信端末機に伝送する。
【００１４】
従来の移動通信端末機の動映像伝送方法においては、図３(Ａ)及び図３(Ｂ)に示したように、先ず、使用者がデータ貯蔵部１５０に貯蔵されている動映像の目録から再生する動映像データを選択した後、該動映像データの再生を指示するキーを押すと、キー入力部１１０が該押されたキーが動映像データの再生開始キーであると判断し、該判断された結果を前記イベント処理部１２０に知らせる。この時、該イベント処理部１２０は、前記判断された結果に対応する動映像データ再生開始イベントを前記動映像再生部１３０に知らせて該動映像再生部１３０を活性化し、前記選択された動映像データの情報を該動映像再生部１３０に知らせる。
【００１５】
次いで、該動映像再生部１３０は、前記選択された動映像データを前記データ貯蔵部１５０から読み出して再生する。
【００１６】
然し、使用者が前記再生中の動映像データを特定移動通信端末機に伝送するためには、該動映像データの再生を中止しなければならない。
【００１７】
この時、使用者が前記再生中の動映像データの再生中止を指示するキーを押すと、前記キー入力部１１０は押されたキーが動映像データの再生中止であると判断し、該判断された結果を前記イベント処理部１２０に知らせる。次いで、該イベント処理部１２０は、前記判断された結果に対応する動映像データ再生中止イベントを前記動映像再生部１３０に知らせて該動映像再生部１３０を非活性化させる。
【００１８】
次いで、該動映像再生部１３０は、現在再生中の動映像データの再生を中断し、該動映像データの再生が中止されたことを前記イベント処理部１２０に知らせる。この時、該イベント処理部１２０は、前記動映像再生部１３０が非活性化されたことを前記出力処理部１６０に知らせて、該出力処理部１６０は、前記動映像再生部１３０が非活性化されたことを前記移動通信端末機の画面に表示する。
【００１９】
然し、使用者が前記再生が中止された動映像データを伝送するために、メッセージ伝送を指示するキーを押すと、前記キー入力部１１０が該押されたキーがメッセージ伝送を指示すると判断し、該判断結果を前記イベント処理部１２０に知らせる。この時、該イベント処理部１２０は、前記押されたキーに対応するメッセージ伝送イベントを前記メッセージ伝送部１４０に知らせて該メッセージ伝送部１４０を活性化する。
【００２０】
次いで、使用者は、該メッセージ伝送部１４０を用いてメッセージを作成し、該メッセージ伝送部１４は、該作成されたメッセージに選択された動映像ファイルを貼付した後、該メッセージの伝送を呼処理部１７０を通って試みる。
【００２１】
前記メッセージの伝送が完了されると、前記メッセージ伝送部１４０が前記イベント処理部１２０に該メッセージの伝送完了を知らせて、該イベント処理部１２０は、該メッセージ伝送完了を前記出力処理部１６０に知らせる。
【００２２】
最後に、該出力処理部１６０は、前記動映像ファイルが添付されたメッセージの伝送が完了されたことを視聴覚的に使用者に知らせる。
【発明の開示】
【発明が解決しようとする課題】
【００２３】
然るに、従来の移動通信端末機においては、使用者が現在再生中の動映像データを伝送しようとする時、該動映像データの再生を中止し、該全体動映像ファイルをメッセージに貼付して伝送しなければならない。一方、前記動映像データの一部のみを伝送するために、使用者は、伝送する動映像を編集ソフトウェアに編集しなければならなく、該編集された動映像と該編集ソフトウェアとを別途の貯蔵所に貯蔵しなければならないという不都合な点があった。
【００２４】
また、従来の移動通信端末機の動映像伝送装置及びその方法においては、伝送する動映像を編集しなければならないため、使用者の便宜性が低下するという不都合な点があった。且つ、動映像編集のために編集ソフトウェアを移動通信端末機に搭載しなければならなくて、前記編集された動映像をファイルの形態に移動通信端末機に貯蔵しなければならないため、別途の貯蔵空間を必要とするという不都合な点があった。
【００２５】
本発明は、このような問題点に鑑みて成されたもので、使用者が現在再生中の動映像データにおいては、使用者により指定された部分のみを伝送し得るようにすることで、使用者の便宜性を増大させて、移動通信端末機の貯蔵空間を節約し得る移動通信端末機の動映像伝送装置及びその方法を提供することを目的とする。
【課題を解決するための手段】
【００２６】
このような目的を達成するため、本発明に係る移動通信端末機の動映像伝送装置においては、動映像データが再生される途中に前記動映像データの一部動映像データを貯蔵するための信号を出力するイベント処理部と、動映像データを再生し、該動映像が再生される途中に前記出力された信号に基づいて前記一部動映像データを貯蔵する動映像再生部と、前記貯蔵された一部動映像データをメッセージに貼付した後、前記メッセージを受信移動通信端末機に伝送するメッセージ伝送部と、前記動映像データと前記一部動映像データを貯蔵するデータ貯蔵部と、を包含して構成されることを特徴とする。
【００２７】
また、本発明に係る移動通信端末機の動映像伝送方法においては、動映像データが再生される途中に、一部動映像データを貯蔵する段階と、該貯蔵された動映像データをメッセージに貼付した後、該メッセージを受信移動通信端末機に伝送する段階と、を順次行うことを特徴とする。
【００２８】
従って、本発明は、以下を提供する。
１．動映像データが再生される途中に該動映像データの一部動映像データを貯蔵するための信号を出力するイベント処理部と、
前記動映像データを再生する途中に前記出力された信号に基づいて前記一部動映像データを貯蔵する動映像再生部と、
前記貯蔵された一部動映像データをメッセージに貼付した後、前記メッセージを受信移動通信端末機に伝送するメッセージ伝送部と、
前記動映像データと前記一部動映像データを貯蔵するデータ貯蔵部と、を包含して構成されることを特徴とする移動通信端末機の動映像伝送装置。
２．前記一部動映像データは、
使用者により指定されることを特徴とする項目１記載の移動通信端末機の動映像伝送装置。
３．前記動映像再生部は、
前記一部動映像データを貯蔵することを完了した時、前記動映像データの再生を一時停止し、該一時停止された位置の情報を前記データ貯蔵部に貯蔵することを特徴とする項目１記載の移動通信端末機の動映像伝送装置。
４．前記動映像再生部は、
前記メッセージの伝送を完了した後、前記貯蔵された一部動映像データを削除し、該貯蔵された一時停止された位置の情報に基づいて該一時停止された位置から前記動映像データを継続して再生することを特徴とする項目３記載の移動通信端末機の動映像伝送装置。
５．動映像データが再生される途中に、一部動映像データを貯蔵する段階と、
該貯蔵された動映像データをメッセージに貼付した後、前記メッセージを受信移動通信端末機に伝送する段階と、を順次行うことを特徴とする移動通信端末機の動映像伝送方法。
６．前記一部動映像データを貯蔵する段階は、
該一部動映像データの貯蔵開始位置が指定される時、該指定された開始位置から動映像データを貯蔵する段階と、
前記一部動映像データの貯蔵終了位置が指定される時、該指定された終了位置で動映像データの貯蔵を完了する段階と、を順次行うことを特徴とする項目５記載の移動通信端末機の動映像伝送方法。
７．前記一部動映像データの貯蔵が完了された時、前記動映像データの再生を一時停止し、該一時停止された位置の情報を貯蔵する段階を更に行うことを特徴とする項目５記載の移動通信端末機の動映像伝送方法。
８．前記貯蔵された一時停止された位置の情報に基づいて、前記動映像データを前記一時停止された位置から継続して再生する段階を行うことを特徴とする項目７記載の移動通信端末機の動映像伝送方法。
９．前記メッセージの伝送が完了された時、前記貯蔵された一部動映像データを削除する段階を更に行うことを特徴とする項目５記載の移動通信端末機の動映像伝送方法。
【発明の効果】
【００２９】
本発明は、動映像データを再生する途中に、使用者が簡単に操作して伝送しようとする一部分の動映像のみをを特定移動通信端末機に伝送し得るし、該伝送が完了された後、伝送するために臨時に貯蔵しておいた動映像データが自動に削除されることで、別途の動映像編集ソフトウェアと編集過程が不必要で、使用者の便宜性を向上し得ることで、移動通信端末機の貯蔵空間を節約し得るという効果がある。
【発明を実施するための最良の形態】
【００３０】
以下、本発明に係る移動通信端末機の動映像伝送装置及びその方法に対し、図面を用いて説明する。
【００３１】
本発明に係る移動通信端末機の動映像伝送装置においては、図１(Ａ)〜図１(Ｃ)に示したように、キー入力部２１０と、イベント処理部２２０と、動映像再生部２３０と、メッセージ伝送部２４０と、データ貯蔵部２５０と、出力処理部２６０及び呼処理部２７０と、を包含して構成され、夫々の構成要素に対する機能は次のようである。
【００３２】
前記キー入力部２１０は、使用者が任意のキーを押した時、該キーが押されたことを認知して該押されたキー（例えば、動映像データ再生開始キー、動映像データ貯蔵開始キー、動映像データ貯蔵終了キー）が何かを判断し、該判断された結果を前記イベント処理部２２０に伝達する。
【００３３】
次いで、該イベント処理部２２０は、前記キー入力部２１０で判断された結果によって、前記押されたキーに対応されるイベント(例えば、動映像データ再生開始、動映像データ貯蔵開始、動映像データ貯蔵終了)を前記動映像再生部２３０及び前記メッセージ伝送部２４０に知らせる。
【００３４】
次いで、前記動映像再生部２３０は、使用者により選択された動映像データを前記データ貯蔵部２５０から読み出して再生し、前記選択された動映像を再生する途中に使用者が指定する一部動映像データと前記再生中であった動映像データの一時停止位置の情報を前記データ貯蔵部２５０に貯蔵する。
【００３５】
次いで、前記メッセージ伝送部２４０はメッセージを作成し、該作成されたメッセージに伝送する動映像データを貼付した後、データ伝送プロトコルによって、該メッセージの伝送を試みる。
【００３６】
次いで、前記データ貯蔵部２５０には、動映像データと使用者により指定された一部動映像データと再生中であった動映像データの一時停止位置情報及び関連情報が貯蔵される。
【００３７】
次いで、前記出力処理部２６０は、視聴覚的に動映像データの再生情報及び移動通信端末機情報を使用者に知らせる。
【００３８】
次いで、前記呼処理部２７０は、前記メッセージ伝送部２４０の指示によって前記動映像データが添付されたメッセージを受信移動通信端末機に伝送する。
【００３９】
以下、本発明に係る移動通信端末機の動映像伝送方法に対し、図面を用いて説明する。
【００４０】
本発明に係る移動通信端末機の動映像伝送方法においては、図１(Ａ)〜図１(Ｃ)に示したように、使用者が動映像データの再生開始を指示するキーを押すと、前記キー入力部２１０が該押されたキーを認知する段階と、前記イベント処理部２２０が該認知されたキーに該当する動映像データ再生イベントを動映像再生情報と共に動映像再生部２３０に伝達する段階と、該動映像再生部２３０は、前記伝達された動映像情報と動映像データ再生イベントによって、前記データ貯蔵部２５０から該当動映像データを読み出して再生する段階と、該動映像データが再生される途中に、使用者が伝送する部分の開始位置及び終了位置を指定する段階と、前記動映像再生部２３０は、前記開始位置から前記終了位置までの動映像データをデータ貯蔵部２５０に臨時貯蔵し、貯蔵が完了されると前記動映像データの再生を一時停止し、前記一時停止された位置の情報を前記データ貯蔵部２５０に貯蔵する段階と、前記イベント処理部２２０が前記動映像データの再生が一時停止されたことを認知し、前記メッセージ伝送部２４０を活性化する段階と、該メッセージ伝送部２４０で使用者はメッセージを作成し、該作成されたメッセージに前記臨時貯蔵された動映像データを貼付する段階と、該移動映像データが添付されたメッセージを前記呼処理部２７０を通って受信移動通信端末機に伝送する段階と、前記メッセージの伝送が完了されると、前記出力処理部２６０が伝送が完了されたことを使用者に視聴覚的に知らせる段階と、前記動映像再生部２３０は、前記データ貯蔵部２５０に貯蔵された前記一時停止された位置の情報に基づいて該一時停止された動映像データを継続して再生する段階と、を順次行う。
【００４１】
以下、本発明に係る移動通信端末機の動映像伝送方法に対し、説明する。
【００４２】
先ず、使用者がデータ貯蔵部２５０に貯蔵されている動映像データの目録を検索して動映像データを選択した後、動映像データ再生開始キーを押すと、前記キー入力部２１０が該押されたキーが動映像データ再生開始キーであると判断し、該判断された結果を前記イベント処理部２２０に知らせる。この時、該イベント処理部２２０は、前記判断された結果に対応する動映像データ再生開始イベントを前記選択された動映像データの情報と共に動映像再生部２３０に知らせて該動映像再生部２３０を活性化する。
【００４３】
次いで、該動映像再生部２３０は、前記選択された動映像データを前記データ貯蔵部２５０から読み出して再生する。
【００４４】
伝送する部分が前記選択された動映像で再生されている時、使用者が移動通信端末機のキーを押すことで、前記伝送する部分の開始位置が指定されると、前記キー入力部２１０が前記伝送する動映像データの貯蔵開始キーが押されたことを前記イベント処理部２２０に知らせる。この時、該イベント処理部２２０は、現在再生されている部分が伝送する部分の開始位置であることを前記動映像再生部２３０に知らせる。
【００４５】
次いで、該動映像再生部２３０は継続して動映像データを再生しながら、前記指定された開始位置から動映像データを前記データ貯蔵部２５０に貯蔵する。
【００４６】
次いで、使用者がキーを押すことで、伝送する部分の終了位置が指定されると、前記キー入力部２１０は、前記指定された位置が伝送する動映像データの終了位置であることを前記イベント処理部２２０に知らせて、該イベント処理部２２０は、動映像データの貯蔵終了を前記動映像再生部２３０に指示する。
【００４７】
この時、該動映像再生部２３０は、前記動映像データの貯蔵を中止すると同時に前記動映像データの再生を一時停止し、該再生が一時停止された位置の情報を前記データ貯蔵部２５０に貯蔵した後、前記動映像データの再生が停止されたことを前記イベント処理部２２０に知らせる。
【００４８】
次いで、該イベント処理部２２０は、前記メッセージ伝送部２４０を活性化し、該メッセージ伝送部２４０は、使用者がメッセージを作成するようにし、該作成されたメッセージに前記データ貯蔵部２５０に臨時貯蔵された動映像データを貼付した後、前記呼処理部２７０を通って受信移動通信端末機に前記メッセージの伝送を試みる。
【００４９】
次いで、該メッセージの伝送が成功された時、前記メッセージ伝送部２４０は、伝送するために前記データ貯蔵部２５０に臨時貯蔵した動映像データを削除し、前記メッセージ伝送の完了及び動映像データの削除完了を前記イベント処理部２２０に知らせる。
【００５０】
次いで、該イベント処理部２２０は、前記動映像再生部２３０を活性化し、該動映像再生部２３０は、前記データ貯蔵部２５０に貯蔵された前記一時停止された位置の情報に基づいて該一時停止された動映像を継続して再生することで、前記動映像伝送の過程を完了する。
【００５１】
以下、本発明に係る移動通信端末機の動映像伝送装置及びその方法の第２実施形態に対し、図２(Ａ)〜図２(Ｃ)を用いて説明する。
【００５２】
本発明に係る移動通信端末機の伝送装置においては、図２(Ａ)〜図２(Ｃ)に示したように、音声入力部３１０と、イベント処理部２２０と、動映像再生部２３０と、メッセージ伝送部２４０と、データ貯蔵部２５０と、出力処理部２６０及び呼処理部２７０と、を包含して構成されて、夫々の構成要素に対する機能は次のようである。
【００５３】
前記音声入力部３１０は、使用者が任意の音声命令を下した時、該音声命令を認知して該音声命令(例えば、動映像データ再生開始命令、動映像データ貯蔵開始命令、動映像データ貯蔵終了命令)が何かを判断し、該判断された結果を前記イベント処理部２２０に伝達する。
【００５４】
次いで、該イベント処理部２２０は、前記音声入力部３１０で判断された結果によって、前記音声命令に対応されるイベント(例えば、動映像データ再生開始、動映像データ貯蔵開始、動映像データ貯蔵終了)を前記動映像再生部２３０及びメッセージ伝送部２４０に知らせる。
【００５５】
次いで、該動映像再生部２３０は、使用者により選択された動映像データを前記データ貯蔵部２５０から読み出して再生し、該選択された動映像を再生する途中に使用者が指定する一部動映像データと前記再生中であった動映像データの一時停止位置情報を前記データ貯蔵部２５０に貯蔵する。
【００５６】
前記メッセージ伝送部２４０はメッセージを作成し、該作成されたメッセージに伝送する動映像データを貼付した後、データ伝送プロトコルによって、該メッセージの伝送を試みる。
【００５７】
次いで、前記データ貯蔵部２５０には、動映像データと使用者により指定された一部動映像データと再生中であった動映像データの一時停止位置情報及び関連情報が貯蔵される。
【００５８】
次いで、前記出力処理部２６０は、視聴覚的に動映像データの再生情報及び移動通信端末機情報を使用者に知らせる。
【００５９】
次いで、前記呼処理部２７０は、前記メッセージ伝送部２４０の指示によって前記動映像データが添付されたメッセージを受信移動通信端末機に伝送する。
【００６０】
以下、本発明に係る移動通信端末機の動映像伝送方法に対し、図面を用いて説明する。
【００６１】
本発明に係る移動通信端末機の動映像伝送方法においては、図２(Ａ)〜図２(Ｃ)に示したように、使用者が動映像データの再生開始を指示する音声命令を下すと、前記音声入力部３１０が該音声命令を認知する段階と、前記イベント処理部２２０が前記認知された音声命令に該当する動映像データ再生イベントを動映像再生情報と共に動映像再生部２３０に伝達する段階と、該動映像再生部２３０は、前記伝達された動映像データの情報と動映像データ再生イベントによって、前記データ貯蔵部２５０から該当動映像データを読み出して再生する段階と、該動映像データが再生される途中に、使用者が伝送する部分の開始位置及び終了位置を指定する段階と、前記動映像再生部２３０は、前記開始位置から前記終了位置までの動映像データをデータ貯蔵部２５０に臨時貯蔵し、貯蔵が完了されると前記動映像データの再生を一時停止し、該一時停止された地点の位置情報を前記データ貯蔵部２５０に貯蔵する段階と、前記イベント処理部２２０が前記動映像データの再生が一時停止されたことを認知し、前記メッセージ伝送部２４０を活性化する段階と、該メッセージ伝送部２４０で使用者はメッセージを作成し、該作成されたメッセージに前記臨時貯蔵された動映像データを貼付する段階と、前記動映像データが添付されたメッセージを呼処理部２７０を通って受信移動通信端末機に伝送する段階と、該メッセージの伝送が完了されると、前記出力処理部２６０が前記伝送が完了されたことを使用者に視聴覚的に知らせる段階と、前記動映像再生部２３０は、前記データ貯蔵部２５０に貯蔵された前記一時停止された位置の情報に基づいて該一時停止された動映像データを継続して再生する段階と、を順次行う。
【００６２】
以下、本発明に係る移動通信端末機の動映像伝送方法に対し、説明する。
【００６３】
先ず、使用者が前記データ貯蔵部２５０に貯蔵されている動映像データの目録を検索して動映像データを選択した後、該動映像データの再生を指示する音声命令を下すと、前記音声入力部３１０が該音声命令が動映像データの再生開始命令であると判断し、該判断された結果を前記イベント処理部２２０に知らせる。この時、該イベント処理部２２０は、前記判断された結果に対応する動映像データ再生開始イベントを前記選択された動映像データ情報と共に動映像再生部２３０に知らせて前記動映像再生部２３０を活性化する。
【００６４】
次いで、該動映像再生部２３０は、前記選択された動映像データを前記データ貯蔵部２５０から読み出して再生する。
【００６５】
該選択された動映像データが再生される途中に、全体動映像の中で伝送する部分が再生されている時、使用者が前記音声入力部３１０に音声命令を下すことで、前記伝送する部分の開始位置が指定されると、前記音声入力部３１０が前記動映像データの貯蔵開始を指示する音声命令が下されることを前記イベント処理部２２０に知らせて、該イベント処理部２２０は、現在再生されている部分が伝送する部分の開始位置であることを前記動映像再生部２３０に知らせる。
【００６６】
次いで、該動映像再生部２３０は、継続して動映像データを再生しながら、前記指定された開始位置から動映像データを前記データ貯蔵部２５０に貯蔵する。
【００６７】
次いで、使用者は、音声命令を下すことで伝送する部分の終了位置が指定されると、前記音声入力部３１０は、該指定された位置が伝送する動映像データの終了位置であることを前記イベント処理部２２０に知らせて、該イベント処理部２２０は、動映像データの貯蔵終了を前記動映像再生部２３０に指示する。
【００６８】
この時、前記動映像再生部２３０は、前記動映像データの貯蔵を中止すると同時に前記動映像データの再生を一時停止し、該再生が一時停止された位置の情報をデータ貯蔵部２５０に貯蔵した後、前記動映像データの再生が停止されたことを前記イベント処理部２２０に知らせる。
【００６９】
次いで、該イベント処理部２２０は、前記メッセージ伝送部２４０を活性化し、該メッセージ伝送部２４０は、使用者がメッセージを作成するようにし、該作成されたメッセージに前記データ貯蔵部２５０に貯蔵された動映像データを貼付した後、前記呼処理部２７０を通って受信移動通信端末機に前記メッセージの伝送を試みる。
【００７０】
次いで、該メッセージの伝送が成功された時、前記メッセージ伝送部２４０は、伝送するために前記データ貯蔵部２５０に臨時貯蔵した動映像データを削除し、前記メッセージ伝送の完了及び動映像データの削除完了を前記イベント処理部２２０に知らせる。
【００７１】
次いで、該イベント処理部２２０は、前記動映像再生部２３０を活性化し、該動映像再生部２３０は、前記データ貯蔵部２５０に貯蔵された前記一時停止された位置の情報に基づいて該一時停止された動映像を継続して再生することで、動映像伝送の過程を完了する。
【００７２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００７３】
【図１Ａ】図１Ａは、本発明に係る移動通信端末機の動映像伝送装置及びその方法の第１実施形態に係る移動通信端末機の動映像伝送装置の構成と該装置においての信号の流れを図示した図である。
【図１Ｂ】図１Ｂは、本発明に係る移動通信端末機の動映像伝送装置及びその方法の第１実施形態に係る移動通信端末機の動映像伝送装置の構成と該装置においての信号の流れを図示した図である。
【図１Ｃ】図１Ｃは、本発明に係る移動通信端末機の動映像伝送装置及びその方法の第１実施形態に係る移動通信端末機の動映像伝送装置の構成と該装置においての信号の流れを図示した図である。
【図２Ａ】図２Ａは、本発明に係る移動通信端末機の動映像伝送装置及びその方法の第２実施形態に係る移動通信端末機の動映像伝送装置の構成と該装置においての信号の流れを図示した図である。
【図２Ｂ】図２Ｂは、本発明に係る移動通信端末機の動映像伝送装置及びその方法の第２実施形態に係る移動通信端末機の動映像伝送装置の構成と該装置においての信号の流れを図示した図である。
【図２Ｃ】図２Ｃは、本発明に係る移動通信端末機の動映像伝送装置及びその方法の第２実施形態に係る移動通信端末機の動映像伝送装置の構成と該装置においての信号の流れを図示した図である。
【図３Ａ】図３Ａは、従来の移動通信端末機で動映像伝送を遂行するための装置の構成と信号の流れを図示した図である。
【図３Ｂ】図３Ｂは、従来の移動通信端末機で動映像伝送を遂行するための装置の構成と信号の流れを図示した図である。
【符号の説明】
【００７４】
２１０:キー入力部
２２０:イベント処理部
２３０:動映像再生部
２４０:メッセージ伝送部
２５０:データ貯蔵部
２６０:出力処理部
２７０:呼処理部
３１０:音声入力部
【図１Ａ】
2005244942.tif 000003
【図１Ｂ】
2005244942.tif 000004
【図１Ｃ】
2005244942.tif 000005
【図２Ａ】
2005244942.tif 000006
【図２Ｂ】
2005244942.tif 000007
【図２Ｃ】
2005244942.tif 000008
【図３Ａ】
2005244942.tif 000009
【図３Ｂ】
2005244942.tif 000010